(57)【要約】      （修正有）【課題】プランター自体だけでも、設置面に置くだけでプランターを傾斜させることができ、プランターが比較的高所に設置される場合でも花全体を観賞することができる簡単な構造のプランター及びプランターの付属台座を提供する。【解決手段】底面が平坦なプランター本体２の底面に、設置面側に傾斜面３ａを有する脚部３を複数平行に固定することで、プランター１を平坦な設置面に傾斜させて置くことができる。プランター１の脚部３の傾斜面３ａと同様な傾斜角度の傾斜面４ａを上方に有する付属台座４を複数備え、傾斜面４ａにプランター１の脚部３の傾斜面３ａを水平方向に１８０度向きを変えて載置することで、プランター１の傾斜角度を、水平又は脚部３の傾斜面の傾斜角度の２倍程度に可変できる。【選択図】図１
0003163819.tif 000002
【実用新案登録請求の範囲】
【請求項１】
底面が平坦なプランター本体の底面に、設置面側に傾斜面を有する脚部を複数平行に固定したことを特徴とするプランター。
【請求項２】
請求項１記載のプランターの脚部の傾斜面と同様な傾斜角度の傾斜面を上方に有し、該傾斜面に前記プランターの脚部の傾斜面を水平方向に１８０度向きを変えて載置することで、プランターの傾斜角度を、水平又は前記脚部の傾斜面の傾斜角度の２倍程度に可変可能としたことを特徴とするプランターの付属台座。
【請求項３】
前記付属台座の傾斜面の高さの低い側の端部に滑り防止用の突出部を形成したことを特徴とする請求項２記載のプランターの付属台座。
【考案の詳細な説明】
【技術分野】
【０００１】  本考案は、花などの観賞用植物を植栽するためや植えた植栽ポットを収納設置するためのプランター及びプランターの付属台座に関するものである。
【背景技術】
【０００２】  花などの観賞用植物は、ビニール、プラスチックなどの簡易植栽ポットに植えて市販されている。この簡易植栽ポットに植えられた植物を育て鑑賞するには、花壇などの土面に直接植えるほか、プランターを使用してこの中の土に植栽する方法をとっている。【０００３】  プランターを用いる他の使用方法として、２〜３個の簡易植栽ポットをプランター内に収納設置し、花のよせ植えをしているように見せかけて鑑賞する方法で使用している。【０００４】  このようなプランターは、地面上の低位置に直接設置されるほか、プランターを階段状に設置するスタンドや棚などの高所位置にも設置される。高所位置に設置されたプランター内の花は側面方向からの目線が主となり、花を上方からの目線で観賞し難くなってしまう問題があった。【０００５】  このような問題を解決する為、プランターを傾けた状態に載置することができるフラワースタンドが開示されている（例えば、特許文献１参照）。
【先行技術文献】
【特許文献】
【０００６】
【特許文献１】  登録実用新案第３０１７０４３号公報
【考案の概要】
【考案が解決しようとする課題】
【０００７】  しかしながら、特許文献１のものにあっては、プランターをスタンドに載置することでプランターを傾けるものであり、プランター自体だけでは傾けることはできないものある。また、プランターは多数並べて置かれることが良くあるが、そのような多数並べる場合に特許文献１のスタンドを使用するのでは、準備や後片付けの作業が、煩雑である共に多くの労働力も必要となるものである。【０００８】  本考案は、このような問題を解決しようとするものであり、プランター自体だけでも、設置面に置くだけでプランターを傾斜させることができ、プランターが比較的高所に設置される場合でも花全体を観賞することができる簡単な構造のプランター及びプランターの付属台座を提供することを目的とする。
【課題を解決するための手段】
【０００９】  上記目的を達成するため本考案のプランターにあっては、底面が平坦なプランター本体の底面に、設置面側に傾斜面を有する脚部を複数平行に固定したことを特徴とする。【００１０】  また、本考案のプランターの付属台座にあっては、プランターの脚部の傾斜面と同様な傾斜角度の傾斜面を上方に有し、この傾斜面にプランターの脚部の傾斜面を水平方向に１８０度向きを変えて載置することで、プランターの傾斜角度を、水平又は脚部の傾斜面の傾斜角度の２倍程度に可変可能としたことを特徴とする。【００１１】  また、付属台座の傾斜面の高さの低い側の端部に滑り防止用の突出部を形成したことを特徴とする。
【考案の効果】
【００１２】  従来のプランターを腰高程度の高さで水平に設置した場合には、数ｍ離れて鑑賞するとプランター本体の側面や花の側面が視点となり花全体を鑑賞することができなかったが、本考案のプランターにあっては、特許文献１のようなスタンドを使用することなく、底面が平坦なプランター本体の底面に、設置面側に傾斜面を有する脚部を複数平行に固定するといった簡単な構造だけで、プランターを平坦な設置面に傾斜させて置くことができるので、上方からの目線と同様に花全体を観賞できる利点がある。また、地面に直接設置して十数メートル離れた位置で鑑賞する場合も上述のように花を全体的に見ることができる効果がある。【００１３】  また、プランターの脚部の傾斜面と同様な傾斜角度の傾斜面を上方に有するプランターの付属台座を利用し、この付属台座の傾斜面にプランターの脚部の傾斜面を水平方向に１８０度向きを変えて載置することだけで、プランターの傾斜角度を、水平又は脚部の傾斜面の傾斜角度の２倍程度に可変できる。【００１４】  また、付属台座の傾斜面の高さの低い側の端部に滑り防止用の突出部を形成したことで、プランターの脚部を付属台座の傾斜面に載置した場合の滑りを防止することができる。
【図面の簡単な説明】
【００１５】
【図１】  本考案の全体構成図である。
【図２】  プランターを設置面に置いた状態の側面図である。
【図３】  付属台座を使用しプランターの傾斜角度を大きくすることを示す側面図である。
【図４】  付属台座を使用しプランターを水平にすること示す側面図である。
【考案を実施するための形態】
【００１６】  以下、本考案の実施の形態を図面に基づき説明する。
【００１７】  本考案は、図１に示すように、上面が開口する共に底面が平坦な箱型形状のプランター本体２、その底の底面に取り付け固定される脚部３とから構成されるプランター１と、このプランター１を載置するための付属台座４とから構成される。
【００１８】  脚部３は、図１、図２に示すように、断面が四角形の楔状の六面体からなり、箱型形状のプランター本体２の底の底面に、２つ所定間隔を開けて平行に取り付け固定されている。楔状の脚部３は、プランター本体２に固定されている状態で、平坦な設置面７側に所定の傾斜角度θを持つ傾斜面３ａを有する。
【００１９】  このように、プランター本体２の底面に傾斜面３ａを有する２つの脚部３が固定されているプランター１を、傾斜面３ａ側を下側にして水平且つ平坦な設置面７に置くと、図２に示すように、高さの高低差の分だけプランター１は傾斜して配置されることになる。
【００２０】  このようにするとプランター１もその中の花も傾斜するため、これをプランター１の高さの低い側から鑑賞すると通常の目線でも高位置からの目線での鑑賞と同様の効果が得られ花全体を観賞することができる。
【００２１】  なお、脚部３の形状は、断面が三角形状の五面体又は四角形状の六面体のいずれでも良く、傾斜面を有していればどのような形状であっても良いものである。また、脚部３の傾斜面３ａの長さは、プランター本体２の底面に取り付け固定し設置面７に置いても、プランター１がぐらつかず安定する長さであれば良い。
【００２２】  次に、付属台座４について説明する。付属台座４は、図１、図３、図４に示すように、先端側以外は脚部３と同様な形状からなり、具体的には、脚部３の傾斜面３ａの傾斜角度θと同様な傾斜角度θ´を持つ傾斜面４ａを有し、更に先端側である傾斜面の高さの低い側の端部に滑り防止用の突出部６を形成している。また、２つの付属台座４は、プランター本体２の底面２に固定されている２つの脚部３の間隔と同じ間隔になるよう配置され、その間を２つの連結支持具５で支持し固定している。
【００２３】  次に、付属台座４の使用方法について説明する。プランター１に更に傾斜をつけて設置したい場合は、図３に示すように、２つの付属台座４共その突出部６が鑑賞側を向くようにすると共に水平な設置面７に設置し、その状態で、付属台座４の傾斜面４ａ上にプランター１の脚部３の傾斜面３ａを高さの低い側を鑑賞側に向けて載置する。このことで、図２に示した脚部３だけを使用した場合に比較し、付属台座４の傾斜角度θ´により、プランター１の傾斜角度を２倍の角度（θ＋θ´）にすることができ、更に高所位置からの目線で鑑賞したのと同様の作用効果が得られる。
【００２４】  次に、プランター本体１を水平に設置したい場合は、図４に示すように、２つの付属台座４共その突出部６が鑑賞側を向くようにすると共に水平な設置面７に設置し、その状態で、付属台座４の傾斜面４ａ上にプランター１の脚部３を、高さの高い側を鑑賞側に向けて載置する。脚部３の傾斜面３ａの傾斜角度θと付属台座４の傾斜面４ａの傾斜角度θ’はほぼ同じ傾斜角度であることから、反対に載置することで結果、プランター１はほぼ水平に設置されることになる。
【００２５】  付属台座４の、先端側である傾斜面の高さの低い側の端部には滑り防止用の突出部６を形成していることから、図３、図４に示すように、傾斜面４ａに脚部３の傾斜面３ａを載置した場合でも低い方への滑りを確実に防止できる。なお、付属台座４の形状は、先端側（突出部６）以外は、断面が三角形状の五面体又は四角形状の六面体のいずれでも良く、傾斜面を有していればどのような形状であっても良いものである。
【００２６】  このように脚部３の傾斜面の傾斜角度θとほぼ同角度の傾斜角度θ´を有する付属台座４を使用し、載置する方向を１８０度回転することだけで、プランター１の傾斜角度を２倍にしたり、水平にしたり容易に可変することができる。
【００２７】  なお、脚部３、付属台座４の傾斜面の傾斜角度は、３０度以内の範囲であれば適用可能であるが、試作や実験を行った結果、１０度〜２０度の範囲が望ましいことが判明した。
【００２８】  図１〜図４に示すようにプランター本体２底部には複数個の水抜き穴８ａを有しているが、傾斜による角部の水たまりを防止するための角部水抜き穴８ｂを高さ差が低い側の角部に設けることが望ましい。また、プランター本体２、脚部３、付属台座４は、木製でも、樹脂製でも形成可能である。また、脚部３、付属台座４は、最低２つあれば実施可能であるが、それ以上設けても良く、また、脚部３は、底面全面が傾斜面３ａを持つ単一の六面体でも適用可能であり、付属台座４は、脚部３の全てが載置できる面積を有する単一のものでも適用可能である。
【符号の説明】
【００２９】１      プランター
２      プランター本体
３      脚部
３ａ    傾斜面
４      付属台座
４ａ    傾斜面
５      連結支持具
６      突出部
７      設置面
８ａ    水抜き穴
８ｂ    角部水抜き穴
【図１】
0003163819.tif 000003
【図２】
0003163819.tif 000004
【図３】
0003163819.tif 000005
【図４】
0003163819.tif 000006